(57)【要約】【課題】け込み部に引き出しを備えたキャビネットに、起立片を有する高さ調節用アジャスタを取り付けることができる、アジャスタ取付構造を提供する。【解決手段】け込み部２０に引き出しを備えたキャビネットに高さ調節用のアジャスタ６０を取り付ける取付構造５０であって、キャビネットの底板１５が、キャビネットの側板１７と当接する前端コーナー部Ｃ１に切欠部１５Ａを備え、アジャスタ６０が、ボルト６２とこのボルト６２を支持する支持部材６３とを備え、支持部材６３がフロアに対して垂直な起立片６３Ｃを備えており、起立片６３Ｃを切欠部１５Ａに挿通して側板１７に固定した。【選択図】図３
2008188184.tif 000002
【特許請求の範囲】
【請求項１】
け込み部に引き出しを備えたキャビネットに高さ調節用のアジャスタを取り付けるための構造であって、
上記キャビネットの底板が、該キャビネットの側板と当接する前端コーナー部に切欠部を備え、
上記アジャスタが、ボルトとこのボルトを支持する支持部材とを備え、
上記支持部材がフロアに対して垂直な起立片を備え、
上記起立片を上記切欠部に挿通して上記キャビネットの側板に固定したことを特徴とする、アジャスタ取付構造。
【請求項２】
前記引き出しが前記キャビネットの側板に取り付けたレールに摺動可能に支持され、
上記ボルトは、その軸線方向が上記レールと重ならないように、キャビネットにおける水平方向内側に配設されていることを特徴とする、請求項１に記載のアジャスタ取付構造。
【発明の詳細な説明】
【技術分野】
【０００１】
本発明は、システムキッチンや組立式洗面化粧台などのシステム家具を構成しているキャビネットの高さ調節機構に係り、特にけ込み部に引き出しを備えてキャビネットの底板とフロアとの間に形成される狭い空間にアジャスタを取り付けるための構造に関するものである。
【背景技術】
【０００２】
システムキッチンなどのシステム家具では、複数のキャビネットやカウンターなどの構成品(ユニット)が設置場所で組み立てられるが、組み立てた複数のキャビネットを設置する際、設置フロアが水平面をなしておらず、即ち不陸であると、隣接する各キャビネットとの上面にズレが生ずる。このため、キャビネットの下にスペーサーと呼ばれる高さ調節部材を入れたり、キャビネットに高さ調節用アジャスタを取り付けたりして各キャビネットの高さを揃えるようにしている。
【０００３】
一方、従来から、特許文献１に示すようにけ込み部に引き出しを設けたシステム家具が知られている。この家具は、最下部領域に引き出しを備えていることから、底板がフロアに近接して配置され、フロアと底板との間のキャビネット下部領域を画成する隙間が非常に狭くなっている。
【０００４】
け込み部に引き出しを備えたシステム家具の高さ調節には、例えば、図６に示すアジャスタ１００が使用されている。このアジャスタ１００は、板状のベース部材１０１と、このベース部材１０１に起立したボルト１０２と、このボルト１０２に螺合した取付部材１０３と、から構成されている。図７に示すように、アジャスタ１００をボルト挿通用の穴１１１を備えたキャビネットの底板１１０に取り付ける際は、底板１１０の下面に取付部材のネジ穴１０３Ａの中心が穴１１１の軸線Ｙと重なるように取付部材１０３をネジ１１５で固定し、この取付部材１０３にボルト１０２を螺合する。そして、底板１１０の上から穴１１０に例えばドライバーを入れて、ドライバーの先端をボルト１０２の先端に設けたねじ用十字穴（十字形のくぼみ）１０２Ａと係合させてボルト１０２を回転させる。これにより、ボルト１０２に対して取付部材１０３が上下に移動するので、システム家具の高さを調節できる。
【０００５】
しかしながら、特許文献１に記載されているような、け込み部に引き出しを備えたシステム家具は、図８に示すように、キャビネット下部後側のコーナー部Ｃ３に近接した位置Ａでは、底板１１０が側板１１５と背板１１６との両方の縦壁に支持され、十分な強度を有するのに対し、前側のコーナー部Ｃ４に近接した位置Ｂでは底板１１０が側板１１５に支持されているだけであるので、十分な強度を有しないためアジャスタ１００の取付けに適さない。そこで、特許文献２の図３に記載されているような、取付部材に起立片を設け、この起立片を側板１１５に固定して取り付けることが考えられる。なお、図８において、キャビネットの構成部材である天板１１６と、左側の側板１１５は破線で表している。
【０００６】
【特許文献１】特開２００１−１８６９４７号公報（図２）
【特許文献２】実開平５−５１１３４号公報（図３）
【発明の開示】
【発明が解決しようとする課題】
【０００７】
しかし、特許文献２の図３に示すタイプのアジャスタ、即ち、フロアに対して垂直で長い起立片を有し、この起立片を側板に固定して取り付けるものは、底板とフロアとの間の空間が広い場合には利用できるが、特許文献１に示すような、フロアと底板との間のキャビネット下部領域を画成する隙間が極めて狭いタイプのシステム家具の高さ調節には利用できなかった。
【０００８】
本発明は、以上の点に鑑みて創作されたものであり、け込み部に引き出しを備えたキャビネットの空間との間の狭い下部領域に、起立片を有する高さ調節用アジャスタを取り付けることができる、アジャスタ取付構造を提供することを目的としている。
【課題を解決するための手段】
【０００９】
上記目的を達成するために、本発明のアジャスタ取付構造は、け込み部に引き出しを備えたキャビネットに高さ調節用のアジャスタを取り付けるための構造であって、キャビネットの底板が、キャビネットの側板と当接する前端コーナー部に切欠部を備え、アジャスタが、ボルトとこのボルトを支持する支持部材とを備え、支持部材がフロアに対して垂直な起立片を備え、起立片を切欠部に挿通してキャビネットの側板に固定したことを特徴としている。なお、本発明のアジャスタ取付構造における切欠部は、底板の前端コーナー部において、前端から後方へ所定距離入った位置までを切除した形状のほか、三方を底板で囲われるよう、底板の前端から所定の距離後方位置で、底板の前端部を残し側縁を切除した形状を含む。
【００１０】
本発明のアジャスタ取付構造において、好ましくは、引き出しがキャビネットの側板に取り付けたレールに摺動可能に支持され、ボルトは、その軸線方向がレールと重ならないように、キャビネットにおける水平方向内側に配設されていることを特徴としている。
【発明の効果】
【００１１】
本発明によれば、底板の前端コーナー部に切欠部を設けることで、底板とフロアとの間の空間が非常に狭いシステム家具にも、フロアに対して垂直で長い起立片を有するアジャスタを取り付けることができる。
また、ボルト軸線方向において引き出し用のレールとアジャスタのボルトとがずれて配置されている場合には、キャビネット高さを調節する際に、ボルトを回すドライバー等の操作部材がレールと干渉することがないので、キャビネットの高さ調節作業を容易に行える。
【発明を実施するための最良の形態】
【００１２】
以下、図面に示した実施形態に基づいて本発明を適用したシステム家具について詳細に説明するが、本発明でシステム家具とは、シンク，水栓，加熱調理装置（例えばガスコンロ，ＩＨクッキングヒーター）を備えたシステムキッチンのほか、システムキッチンに隣接して配置される作業台やカップボード等の厨房用装置品、或いは、洗面化粧台や各種の作業又は事務用の組立式装置品など、複数のユニットを工場のみならず設置場所でも組み立て得るようにした家具を含む。
【００１３】
図１は本発明の実施形態に係るシステム家具としてのシステムキッチン１０を示している。システムキッチン１０は、キャビネット１１上に配設したカウンター１２と、カウンター１２の上面の左端付近に設けたシンク１３と、カウンター１２の上面の右端付近に設けた加熱調理部１４と、キャビネット１１の側面に取り付けた化粧サイドパネル１９と、を備えている。
【００１４】
キャビネット１１は、図１に示すように、複数個、図示の例では三個のベースキャビネット１１ａ，１１ｂ，１１ｃから構成されている。キャビネット１１の前下部には、け込み部２０が設けられている。左端のベースキャビネット１１ａはシンクキャビネットとして構成されており、カウンター１２のシンク孔１２ａに対応してカウンター１２の下面に取り付けたシンク１３を収容している。また、各ベースキャビネット１１ａ，１１ｂ，１１ｃは、図２に示すように、け込み部２０にひき出し３０を備えている。この引き出し３０は、各ベースキャビネット１１ａ，１１ｂ，１１ｃの側板に設置したレール（図示省略）にスライド可能に支持されている。各ベースキャビネット１１ａ，１１ｂ，１１ｃの底板１５は上記引き出し３０の下側で、ベースキャビネット１１ａ，１１ｂ，１１ｃの左右の側板及び背板１６に固定されて、フロアＦに近接して配設されている。そのため、フロアＦと底板１５との間に画成されるキャビネット下部領域Ｓが非常に狭くなっている。なお、図２ではキャビネット上部を省略して表している。
【００１５】
再び図１を参照すると、カウンター１２は、細長い一枚の例えば人造大理石の板状部材から構成されており、シンク１３及び加熱調理部１４を受容するための開口、即ちシンク孔１２ａ及びコンロ孔が形成されている。シンク１３は、上端の開口縁がほぼ長方形状に形成されていて、例えば人造大理石によって構成されている。図示例のシステムキッチン１０では、所謂左勝手として、カウンター１２の左端付近にシンク１３が設けられている。シンク１３は、カウンター１２の下面に接着等によって取り付けられている。加熱調理部１４は、例えばガスコンロ，ＩＨクッキングヒーター等であって、図示のシステムキッチン１０ではカウンター１２の右端付近に配置されている。
【００１６】
本実施形態に係るシステムキッチン１０では、以下のアジャスタ取付構造を備えることを特徴としている。
図３は本実施形態に係るアジャスタ取付構造５０を示す図であり、アジャスタ取付構造５０は、底板１５の前側のコーナー部Ｃ１に切欠部１５Ａを形成し、この切欠部１５Ａによって拡開した空間を利用して起立片を有するアジャスタ６０をキャビネットの側板１７に取り付けて構成されている。図中の矢印Ｆｒはキャビネット前方、Ｗは横方向、Ｕｐは上方向を示す。また、図中の符号１６は背板を示す。なお、底板１５の後側のコーナー部Ｃ２に近接した位置には、図６に示すアジャスタ１００を備えているが、このアジャスタ１００は背景技術で説明したものと構成を同一又は同様にすることができるので、その説明を省略する。
【００１７】
このアジャスタ取付構造５０で使用するアジャスタ６０の詳細な構成を図４に示す。
アジャスタ６０は、ベース部材６１と、頭部（六角部）６２Ｂをベース部材６１側にしてベース部材６１に起立したボルト６２と、このボルト６２を螺合したボルト支持部材６３と、から構成されている。このボルト支持部材６３は、ボルト穴６３Ａを備えた水平部６３Ｂと、この水平部６３Ｂの端から起立した垂直部（起立片）６３Ｃとから形成されている。なお、図中の符号６３Ｄは垂直部６３Ｃを側板１７に固定するネジ２１を挿入するための穴であり、６２Ａはドライバーと係合するためにボルトの先端に形成されたねじ用十字穴である。
【００１８】
上記アジャスタ６０に対応して、キャビネットの底板１５は次のように構成されている。即ち、底板１５の前端角と側板１７の下部との接合部において、底板１５の側板１７と当接する部位が切除されて切欠部１５Ａが形成されている。
【００１９】
このアジャスタ取付構造５０では、上記切欠部１５Ａに、アジャスタ６０の垂直部６３Ｃが配設される。具体的には、切欠部１５Ａにアジャスタ６０の垂直部６３Ｃが入れられた状態で、切欠部１５Ａによって覆われずに露呈している側板表面領域にアジャスタ６０の垂直部６３Ｃがネジ２１によって固定される。このようにして、垂直部６３Ｃが底板１５の切欠部１５Ａで側板１７に固定される。
また、アジャスタ６０のボルト６２はキャビネットの底板１５に形成したボルト挿通用の穴１５Ｂ内に回動可能に配置され、その際に、図５に示すように、アジャスタ６０のボルト６２の操作が側板１７に取り付けたスライド用レール２５に妨げられないよう、ボルト６２とスライド用レール２５との位置が設定されている。具体的には、ボルト軸線Ｘ上にスライド用レール２５が重ならないように、ボルト６２及び穴１５Ｂはスライド用レール２５より水平方向内側にずれて、即ちキャビネットにおける水平方向内側に配設されている。
【００２０】
本実施形態のシステムキッチン１０は以上のように構成され、キャビネットの高さを調節する際は、ボルト６２，１０２が穴１５Ｂ，１１１に出没可能にボルト支持部材６３，取付部材１０２に係合し、ボルト６２，１０２のボルト支持部材６３，取付部材１０２から上方への突出量を変えることで、キャビネットの高さを調節することができる。具体的には、底板１５の上から穴１５Ｂ，１１１に例えばドライバーを入れて、ドライバーの先端をボルト６２，１０２の先端のネジ山と係合させてボルト６２，１０２を回転する。これにより、ボルト６２，１０２に対してボルト支持部材６３，取付部材１０３が上下に移動するので、各ベースキャビネット１１ａ，１１ｂ，１１ｃの高さを調節できる。
なお、キャビネット前方のボルト６２は、その頭部６２Ｂをスパナで操作し、ボルト６２を回転させることでキャビネットの高さ調節をすることもできる。
【００２１】
以上のアジャスタ取付構造５０によれば、け込み部２０に引き出し３０を備えて底板１５がフロアＦに近接し、底板１５とフロアＦとのに画成される空間Ｓが狭いシステムキッチン１０であっても、底板１５が側板１７との接合箇所に切欠部１５Ａを有することで、フロアＦに垂直で長い垂直部６３Ｃを備えたアジャスタ６０を取り付けることができる。また、各ベースキャビネット１１ａ，１１ｂ，１１ｃの底板前側のコーナー部Ｃ１において、キャビネットやカウンターの荷重に対して十分な強度を有する縦壁部材としてのキャビネット側板１７に直接アジャスタ６０が取り付けられているので、システム家具として必要な強度を確保できる。
【００２２】
以上説明したが、本発明はその趣旨を逸脱しない範囲において様々な形態で実施をすることができる。例えば、本発明は、厨房用に限らずその他の事務又は各種作業用など種々のシステム家具のキャビネットに適用することも勿論可能である。ボルトにスパナとの係合部位を形成した場合には、アジャスタのボルト軸線上にスライド用レールが重なるような配置も可能である。さらにまた、アジャスタ取付構造は、底板の後側にはアジャスタ１００を備えずに構成されてもよい。また、本発明において、底板の切欠部に配設する高さ調節用アジャスタの構成は、図４に示すものに限るものではなく、フロアに対して垂直で長い起立片を有しこの起立片を側板に固定して取り付けるアジャスタであればよい。例えば、ボルト先端のねじ用十字穴が、すりわり、六角穴、四角穴であっても良いことは当然である。
【図面の簡単な説明】
【００２３】
【図１】本発明を適用した実施形態に係るシステムキッチンを示す斜視図である。
【図２】本実施形態に係るキャビネットの部分断面図である。
【図３】本発明の実施形態に係るアジャスタ取付構造を示す斜視図である。
【図４】本実施形態のアジャスタ取付構造に用いるアジャスタを示す斜視図である。
【図５】図３のＡ−Ａ線断面図である。
【図６】従来のキャビネット高さ調節に用いるアジャスタを示す斜視図である。
【図７】図６のアジャスタを備えたキャビネット下部の断面図である。
【図８】図６のアジャスタの配置箇所を示す図である。
【符号の説明】
【００２４】
１０  システムキッチン
１１  キャビネット
１１ａ，１１ｂ，１１ｃ  ベースキャビネット
１２  カウンター
１２ａ  シンク孔
１３  シンク
１４  加熱調理部
１５  底板
１５Ａ  切欠部
１６  背板
１７  側板
２０  け込み部
２１  ネジ
２５  スライド用レール
３０  引き出し
５０  アジャスタ取付構造
６０  アジャスタ
６１  水平部
６２  ボルト
６２Ａ  ねじ用十字穴
６２Ｂ  頭部（六角部）
６３  ボルト支持部材
６３Ａ  ボルト穴
６３Ｂ  水平部
６３Ｃ  垂直部（起立片）
【図１】
2008188184.tif 000003
【図２】
2008188184.tif 000004
【図３】
2008188184.tif 000005
【図４】
2008188184.tif 000006
【図５】
2008188184.tif 000007
【図６】
2008188184.tif 000008
【図７】
2008188184.tif 000009
【図８】
2008188184.tif 000010